(57)【特許請求の範囲】
【請求項１】
ロッドの先端寄りに取り付けたキャップと、基端部を上記キャップに揺動自在に軸支された複数個のリブと、上記ロッドに沿って自在に可動しかつ上記ロッドに嵌合されたランナと、先端部を上記リブそれぞれの所定の位置（以下取付点という）に揺動自在に軸支されかつ基端部を上記ランナに揺動自在に軸支された複数個のストレッチャを備え、上記キャップの位置と上記ランナの位置を焦点とする楕円をこれらの焦点を結ぶ線を軸として回転させて得られる回転楕円面の上に上記取付点が存在すると共に上記キャップを通り上記のいずれのリブとも等角度となる直線と上記軸のなす角が零と異なり、
上記取付点が、上記直線を回転軸としてキャップから上記等角度の円錐面と上記回転楕円面とが交わる位置に存在することを特徴とするチルト傘。
【請求項２】
上記直線と上記軸のなす角をθ、チルト傘を拡げたときのキャップにおけるリブの開き角及びランナからキャップまでの距離をそれぞれ２α及び２ｃ、チルト傘を閉じたときのランナからキャップまでの距離を２ａ、リブの本数をＮとしたときに、キャップからそれぞれの取付点までの距離Ｌ（ｉ）が下記式で表される請求項１に記載のチルト傘。
【数１】
0003699315.tif 000011
ただし、ｉ＝１、２、…、Ｎであり、ｔ１（ｉ）、ｔ２（ｉ）、ｔ３（ｉ）は下記式で表される。
【数２】
0003699315.tif 000012
上記式において、ｋ１（ｉ）、ｋ２、ｋ３は下記式で表される。
【数３】
0003699315.tif 000013
上記式において、ｐ（ｉ）、ｑ（ｉ）、ｒ（ｉ）、ｄは下記式により表される。
【数４】
0003699315.tif 000014
【請求項３】
ロッドの先端寄りに取り付けたキャップと、基端部を上記キャップに揺動自在に軸支された複数個のリブと、上記ロッドに沿って自在に可動しかつ上記ロッドに嵌合されたランナと、先端部を上記リブそれぞれの所定の位置に揺動自在に軸支されかつ基端部を上記ランナに揺動自在に軸支された複数個のストレッチャを備え、上記キャップを通り上記のいずれのリブとも等角度となる直線とロッドのなす角が零と異なるチルト傘の製造方法であって、
上記ストレッチャの先端部を、上記キャップの位置と上記ランナの位置を焦点とする楕円をこれらの焦点を結ぶ線を軸として回転させて得られる回転楕円面の上であって、上記直線を回転軸としてキャップから上記等角度の円錐面と上記回転楕円面とが交わる位置に取り付けることを特徴とするチルト傘の製造方法。
【発明の詳細な説明】
【０００１】
【発明の属する技術分野】
この発明は拡げたときの傘の面積を効率よく利用する雨傘または日傘に関するものである。
【０００２】
【従来の技術】
図８、図９はそれぞれ従来の傘を通常利用している様子の側面図、上部からみた透視図であり、１はロッド、２０は従来の傘、２１は人間である。図８または図９からわかるように人間２１が従来の傘２０のロッド１を地面に対し垂直に支える場合では人間２１の背中あるいは人間２１の背中に背負ったかばんなどが雨により濡れることがある。
【０００３】
このため、例えば、特開平８−７０９１８号公報に示すようにロッドを折り曲げるか、あるいはストレッチャにロッドを取り付ける傘が提案されている。
【０００４】
【発明が解決しようとする課題】
しかしながら、この提案された傘ではその構造が複雑なため製作が必ずしも容易でない問題点が考えられる。
【０００５】
この発明は上記のような問題点を解決するためになされたもので、傘を利用する人間およびその人間の背負ったかばんなどをできるだけ雨に濡らさない傘を提供することを目的とする。
【０００６】
【課題を解決するための手段】
この発明によるチルト傘は所定の寸法長を有したロッドと、上記ロッドの先端寄りに取り付けたキャップと、基端部を上記キャップに揺動自在に軸支された複数個のリブと、上記ロッドに沿って自在に可動しかつ上記ロッドに嵌合されたランナと、先端部を上記リブそれぞれの所定位置（以下取付点という）に揺動自在に軸支されかつ基端部を上記ランナに揺動自在に軸支された複数個のストレッチャを備えて、上記キャップの位置と上記ランナの位置を焦点とする楕円をこれらの焦点を結ぶ線を軸として回転させて得られる回転楕円面の上に上記取付点が存在すると共に上記キャップを通り上記のいずれのリブとも等角度となる直線と上記軸のなす角が零と異なることを特徴とする。
【０００７】
【発明の実施の形態】
発明の実施の形態を実施例にもとづき図面を参照して説明する。
図１はこの発明の一実施の形態に係るチルト傘を拡げたときの斜視図であり、図において１はロッド、２は布または合成繊維などからなるパネル、３はロッド１の先端寄りに取り付けたキャップ、４は基端部をキャップ３に揺動自在に軸支された複数個のリブ、５はロッド１に沿って自在に可動しかつロッド１に嵌合されたランナ、６は先端部をリブ４の所定の取付点１２に揺動自在に軸支されかつ基端部をランナ５に揺動自在に軸支された複数個のストレッチャ、７はパネル２をリブ４に固定する複数個のチップ、８はランナ５をロッド１の先端寄りに固定する先端固定金具、９はランナ５をロッド１の基端寄りに固定する基端固定金具、１０はハンドル、１１は石突きである。
【０００８】
図２はこの発明の一実施の形態に係るチルト傘を拡げたときの側面図で、ランナ５が先端固定金具８により固定されたときの状態を表しており，説明を容易にするため図１の斜視図において対称に位置している２本のリブ４とこれらに取付点において軸支されている２本のストレッチャ６および周辺の部品を抜き出して示している。
【０００９】
図２において、ランナ５の位置とキャップ３の位置を焦点とする楕円の上に取付点１２が存在しているものとする。この楕円の長軸および短軸をそれぞれ２ａ、２ｂとして、この楕円をｘｙ面上に表せば図３となる。このときの楕円の式は数１で表される。ただし、図３においてＦ、Ｆ’は楕円の焦点を表す。
【００１０】
【数１】
0003699315.tif 000002
【００１１】
このとき図３のＰ、Ｐ’はいずれも図２の取付点１２に対応するものであり、ここでFを図２のキャップ３の位置に対応するものとすれば、F’は図２のランナ５の位置に対応するものである。また、図３における線分ＰＦ’の長さおよび線分Ｐ’Ｆ’の長さは図２のストレッチャ６の長さに対応し、図３における線分ＰＦの長さおよびＰ’Ｆの長さは図２に示すキャップ３から取付点１２までの長さに対応することからＰＦ’＋ＰＦおよびＰ’Ｆ’＋Ｐ’Ｆはいずれも２ａに等しい。
【００１２】
従って、ランナ５をロッド１に沿って先端固定金具８の位置から基端固定金具９の位置に向けて移動させれば図３に示す楕円の長軸２ａは一定であるが、短軸２ｂがしだいに小さくなる。即ち、図３に示すＦ’が座標（−ａ，０）に近づき、Ｆは座標（ａ，０）に近づく。最終的にＦ’は座標（−ａ，０）に、Ｆは座標（ａ，０）に一致し、このとき基端固定金具８により固定されたランナ５は座標（−ａ，０）の位置にあり、キャップ３は座標（ａ，０）の位置にある。
【００１３】
なお、図２に示す２つの取付点１２以外の取付点１２は図３に示す楕円をｘ軸を軸として回転させたときに形成される回転楕円面の上に存在する。この回転楕円面を図４に示すと共にこの回転楕円面の式を数２で表す。
【００１４】
【数２】
0003699315.tif 000003
【００１５】
さて、リブ４の上の取付点１２の位置を次のように決定することができる。図１においてキャップ３を通り，リブ４のいずれに対しても等角度となる直線を図２の一点鎖線で示すとき、この直線に対するロッド１のチルト角をθ、チルト傘を拡げたとき即ちランナ５を先端固定金具８により固定したときのキャップ３におけるリブ４の開き角を２α、このときのランナ５からキャップ３までの距離を２ｃ、チルト傘を閉じたとき即ちランナ５を基端固定金具９により固定したときのランナ５からキャップ３までの距離を２ａ、リブ４の本数を複数としてこれをＮとする。（図１ではＮ＝８としているが、より一般的に表現するためＮを２以上の任意の整数とする。）ただし、リブ４はキャップ３を中心として等角度２π／Ｎで放射状にキャップ３に揺動自在に軸支されているとする。
【００１６】
Ｎ本のリブ４において、キャップ３からそれぞれのリブ４の上の取付点１２までの距離をＬ（１）、Ｌ（２）、…、Ｌ（Ｎ）とすればこれらの距離は数３で表される。
【００１７】
【数３】
0003699315.tif 000004
【００１８】
ただし、ｉ＝１、２、…、Ｎであり、ｔ１（ｉ）、ｔ２（ｉ）、ｔ３（ｉ）は数４で表される。
【００１９】
【数４】
0003699315.tif 000005
【００２０】
なお、数４において、ｋ１（ｉ）、ｋ２、ｋ３は数５で表される。
【００２１】
【数５】
0003699315.tif 000006
【００２２】
数４および数５において、ｐ（ｉ）、ｑ（ｉ）、ｒ（ｉ）、ｄは数６により表される。
【００２３】
【数６】
0003699315.tif 000007
【００２４】
ただし、数４に示すｔ１（ｉ）において根号の前の複号は数６のｐ（ｉ）が正のとき＋となり、数６のｐ（ｉ）が負のとき−となる。従って，ランナ５からＮ本のリブ４の上の取付点１２までの距離即ちＮ本のストレッチャ６の長さＫ（ｉ）（ｉ＝１、２、…、Ｎ）は数７で表される。
【００２５】
【数７】
0003699315.tif 000008
【００２６】
ちなみに、θ＝２０°、２α＝１７０°、２ｃ＝７０ｍｍ、２ａ＝５００ｍｍ、Ｎ＝８とすれば、数３〜数６に従ってＬ（ｉ）（ｉ＝１、２、…、８）を算出すれば数８で表される。
【００２７】
【数８】
0003699315.tif 000009
【００２８】
また、数３〜数７に従ってＫ（ｉ）（ｉ＝１、２、…、８）を算出すれば数９で表される。
【００２９】
【数９】
0003699315.tif 000010
【００３０】
このようにランナ５をロッド１の基端部に向かって移動させるときランナ５の位置とキャップ３の位置を焦点とする楕円が図５に示すように実線、破線、一点鎖線へと変化する。図６および図７はそれぞれこの発明のチルト傘を利用する場合に想定される様子の側面図、上部から見た透視図であり、２２はこの発明によるチルト傘である。なお、ここに示した数式はすべてロッド１の太さを無視して，無限小としたときのものであるが、ロッド１が実用的な太さを有していても製作上特に問題はない。
【００３１】
【発明の効果】
この発明によればチルト傘を拡げたときにロッドを鉛直線に対し傾きを持たせることができるので、拡げたチルト傘の中心付近に上記傘を利用する人間を配置することが可能となる。従って，上記チルト傘を利用する人間およびその人間の背中に背負ったかばんなどが雨に濡れることをできるだけ防止する。
【図面の簡単な説明】
【図１】  この発明によるチルト傘の実施の形態を示す斜視図である。
【図２】  この発明によるチルト傘の実施の形態を示す側面図である。
【図３】  この発明によるチルト傘のランナおよびキャップの位置を焦点とする楕円を表す図である。
【図４】  この発明によるチルト傘のランナおよびキャップの位置を焦点とする回転楕円面を表す図である。
【図５】  この発明によるチルト傘のランナをロッドに沿って摺動させるときのランナおよびキャップの位置を焦点とする楕円の変化を表す図である。
【図６】  この発明によるチルト傘を利用するときの側面図である。
【図７】  この発明によるチルト傘を利用するときの上部から見た透視図である。
【図８】  従来の傘を利用するときの側面図である。
【図９】  従来の傘を利用するときの上部から見た透視図である。
【符号の説明】
１    ロッド
２    パネル
３    キャップ
４    リブ
５    ランナ
６    ストレッチャ
７    チップ
８    先端固定金具
９    基端固定金具
１０  ハンドル
１１  石突き
１２  取付点
２０  従来の傘
２１  人間
２２  この発明によるチルト傘
【図１】
0003699315.tif 000015
【図２】
0003699315.tif 000016
【図３】
0003699315.tif 000017
【図４】
0003699315.tif 000018
【図５】
0003699315.tif 000019
【図６】
0003699315.tif 000020
【図７】
0003699315.tif 000021
【図８】
0003699315.tif 000022
【図９】
0003699315.tif 000023